(57)【要約】　　　（修正有）【目的】自転車のペダルの円運動に依る駆動に換えて、楕円運動をすることによって、少ない力で大きな駆動力が得られるために考案されたものである。【構成】上下にスプロケット１Ａ，２Ａを配してチェーン３Ａをかける、同じものを、左右対になる様に平行して設ける、チェーン３Ａ，３Ｂには各々２等分して、互に正反対の所となる各々１ケ所のブシュ４Ａ，４Ｂを伸ばしてペダル軸４Ａ，４Ｂとして、ペダル５Ａ，５Ｂを配す、上のスプロケット１Ａ，１Ｂと、下のスプロケット２Ａ，２Ｂの中間に中心軸６Ｃのあるペダルアーム６Ａ，６Ｂを、中程で屈折自在に施して先端にペダル軸４Ａ，４Ｂを固着する、上のスプロケット１Ａ，１Ｂは連結軸１Ｃ、下のスプロケット２Ａ，２Ｂは連結軸２Ｃで１体化する、スポロケット２Ａに伝達スプロケット７を固着して、後輪のスプロケット間に伝達チェーン８を掛ける。【選択図】　　図１
0003097190.tif 000002
【実用新案登録請求の範囲】
【請求項１】
上下にスプロケット（１Ａ）（２Ａ）を配置してチェーン（３Ａ）をかける、左右対になる様に同様のスプロケット（１Ｂ）（２Ｂ）を隣に平行に設けて、チェーン（３Ｂ）をかける。上のスプロケット（１Ａ）（１Ｂ）は連結軸（１Ｃ）で、下のスプロケット（２Ａ）（２Ｂ）は連結軸（２Ｃ）で連結するか、又は何れか（１Ｃ）か（２Ｃ）の片方を連結する。
スプロケットか、連結軸に、伝達スプロケット（７）を固着する。チェーン（３Ａ）の１本のブシュ（４Ａ）、これと正反対の所にある他方のチェーン（３Ｂ）の１本のブシュ（４Ｂ）の双方を、各々のリンクプレートに回動自在にして外側に伸ばしてペダル軸（４Ａ）（４Ｂ）とし、各々ペダル（５Ａ）（５Ｂ）を回動自在にはめる。上のスプロケット（１Ａ）（１Ｂ）と、下のスプロケット（２Ａ）（２Ｂ）の中心域に中心軸（６Ｃ）を設け、両端にそれぞれ互い違いにペダルアーム（６Ａ）（６Ｂ）の一端を固着する、中心軸（６Ｃ）は左右別々に設けることもある。ペダルアーム（６Ａ）（６Ｂ）は、その中程でチェーン（３Ａ）（３Ｂ）の側面と平行に屈折自在に施して、その先端でブシュ（４Ａ）（４Ｂ）とペダル軸（４Ａ）（４Ｂ）の中間を固着する。
以上の如く構成された、楕円運動をする自転車のペダル装置。
【考案の詳細な説明】
【０００１】
【産業上の利用分野】
この考案は、スプロケットを上下に配して、ペダル軸を設けたチェーンをかけ、このペダル軸を回動屈折自在に施したペダルで駆動する、この様に施したものを左右両側に装置して、楕円運動を円滑に実現することにより、少ない力で強い駆動力が得られる様にした、自転車のペダル装置に関するものである。
【０００２】
【従来の技術】
従来の技術はペダルが只単に円運動するもだけであり、脚の力が効果的に発揮される踏み下ろし運動がすぐ終わり効率の悪いものである。
【０００３】
【考案が解決しようとする課題】
従来のペダルは円運動するだけなので、最も力が駆動力となる踏み下ろし運動が少なくすぐに終はり下死点エリアに入り、ペダルを回転させ様とする力が中絶されるので効率が悪いと言う問題があり、高齢者や力の弱い人は自転車を諦めるか、補助動力付き自転車を求めざるをえなかつた。
【０００４】
【課題を解決するための手段】
従来の１個のスプロケットの代はりに、上下にスプロケット（１Ａ）（２Ａ）を少し間隔をおいて配置してチェーン（３Ａ）を掛ける、これと全く同様なスプロケット（１Ｂ）（２Ｂ）を隣に少し間隔をおいて平行して設けチェーン（３Ｂ）をかける、上のスプロケット（１Ａ）（１Ｂ）は連結軸（１Ｃ）、下のスプロケット（２Ａ）（２Ｂ）は連結軸（２Ｃ）で連結するか、或いは連結軸（１Ｃ）か（２Ｃ）片方のみを連結する。左のチェーン（３Ａ）の１ケ所のブシュ（４Ａ）を長く伸ばしてペダル軸（４Ａ）としてペダル（５Ａ）を回動自在に取り付ける、他方にもこれ（４Ａ）と正反対の所にある右チェーン（３Ｂ）の１本のブシュ（４Ｂ）を伸ばしてペダル軸（４Ｂ）として、ペダル（５Ｂ）を回動自在にはめる、ブシュ（４Ａ）と（４Ｂ）は各々チェーン（３Ａ）と（３Ｂ）のリンクプレートに回動自在にはめる。
上のスプロケット（１Ａ）（１Ｂ）と、下のスプロケット（２Ａ）（２Ｂ）の中心域に中心軸（６）を設ける、中心軸は左（１Ａ）（２Ａ）、右（１Ｂ）（２Ｂ）スプロケットの外側より長くし、両端に互い違いなるも一線状になる様にペダルアーム（６Ａ）（６Ｂ）の端を固着する、又、チェーン（３Ａ）（３Ｂ）と最も先端部で接する所より少し長めにし、その中程でチェーン（３Ａ）（３Ｂ）外側の側面と平行に屈曲自在になる様に複数の部分から成り、その先端にチエーン（３Ａ）（３Ｂ）に設けられたペダル軸（４Ａ）（４Ｂ）を各々に固着する、ペダル軸（４Ａ）（４Ｂ）にペダル（５Ａ）（５Ｂ）を回動自在にはめる、いずれかのスプロケットか、連結軸に、例えばスプロケット（２Ａ）の内側に、伝達スプロケット（７）を固着する。
上のスプロケット（１Ａ）（１Ｂ）の連結軸（１Ｃ）、下のスプロケット（２Ａ）（２Ｂ）の連結軸（２Ｃ）、ペダルアーム（６Ａ）（６Ｂ）の中心軸（６Ｃ）各々を回動自在にはめた各軸受けを、自転車の中央部に取り付ける。
伝達スプロケット（７）と、後輪のスプロケット間に伝達チェーン（８）をかける。
【０００５】
【作用】
本案は以上の様な構造であるので、いま左ペダル（５Ａ）を踏み込むと、自転車は静止しているので抵抗により、左ペダル軸（４Ａ）は左チェーン（３Ａ）のリンクプレートを基点に先端え行く程下方に垂れ下つて踏み足が滑り落ちてしまおうとする、そこで上（１Ａ）（１Ｂ）と下のスプロケット（２Ａ）（２Ｂ）の中心部に中心軸（６Ｃ）を施して回動自在で、且つ、その中間を、チェーン（３Ａ）の側面と平行に屈折自在に施した左ペダルアーム（６Ａ）の先端に、左ペダル軸（４Ａ）を固着しているので、左ペダル（５Ａ）の如何なるポジションにも自由自在に何らの抵抗無く回動屈折して追従するので、この左ペダル軸（４Ａ）を変形させ様とする力を効率良く左チェーン（３Ａ）を下方に動かして駆動力にするものである、以上述べた如く構成されたものが右側にも配置されており、且つ、上のスプロケット（１Ａ）（１Ｂ）は連結軸（１Ｃ）、下のスプロケット（２Ａ）（２Ｂ）は連結軸（２Ｃ）を施してあり、但し、連結軸は片方のみの場合いもある、左ペダル（５Ａ）が踏み下ろされて下死点域に到達するころ、右ペダル（５Ｂ）が上死点域に上がって、右足で右ペダル（５Ｂ）を踏み込んで行く、以下この動作の繰り返しである。
スプロケットか、連結軸に伝達スプロケット（７）を固着して、後輪のスプロケット間に伝達チェーン（８）をかけて自転車を駆動する。
【０００６】
【実施例】
なお、本案の実施に当たって次の如きものがある。
（イ）　上のスプロケット（１Ａ）（１Ｂ）、下のスプロケット（２Ａ）（２Ｂ）の中間にアイドルスプロケット（９）を設けて、チェーン（３Ａ）（３Ｂ）の前半分の軌道を長くして、ペダル（５Ａ）又は（５Ｂ）を上死点を通り越させて、左右のペダル（５Ａ）（５Ｂ）が同時に上、又は下死点に入るのを防ぎ、駆動力の中断をなくし効率ＵＰが実現した、但し中心軸（６Ｃ）は、左右別々にすることが必要である。
（ロ）　チェーン（３Ａ）（３Ｂ）の踏み下ろし部の下側を前輪向きに出して傾斜させる、推進力がＵＰした。
（ハ）　連結軸（１Ｃ）又は、（２Ｃ）の軸受のフレームえの固着を代えて、軸受をフレーム上を中心軸（６Ｃ）と平行に移動可能にし、調整ねじ等をとりつけて、チェーン（３Ａ）（３Ｂ）を調整可能にする。
（ニ）　ペダルアーム（６Ａ）（６Ｂ）とペダル軸（４Ａ）（４Ｂ）を一体化し、ペダル軸（４Ａ）（４Ｂ）とブシュ（４Ａ）（４Ｂ）を分離して、スプライン等を施して同回動させる、転倒等による損傷等の軽減や、修復に効果がある。
（ホ）　ペダルアーム（６Ａ）（６Ｂ）を、チェーン（３Ａ）（３Ｂ）の内側まで折り曲げて伸ばして、ブシュ（４Ａ）（４Ｂ）を内外２ヶ所で軸受けした強力形、ペダルアームが長くなる等の欠点もある。
（ト）　スプロケット（１Ａ）と（１Ｂ）、（２Ａ）と（２Ｂ）において、左右の径を変え、楕円軌道に大小をつくり、利足用と非利足し用を作り効率ＵＰ、特に持久力の増加を計る。
【０００７】
【考案の効果】
本考案では以上述べた様に、従来と同じ力でペダルを踏み込んでも、回転力として発揮する踏み込み運動量が多く行なわれるので、軽い力で大きな駆動力が得られるので、力の弱い人も使用出来、疲労が軽減され、スピードＵＰや、長距離サイクリングの実現が可能となるものである。
【図面の簡単な説明】
【図１】本考案の正面図でペダルが最も長い状態（一部省略）
【図２】本考案の側面図でペダルが最も長い状態（一部省略）
【図３】本考案の正面図でペダルが最も短い状態（一部省略）
【図４】本考案の実施例（イ）の正面図（一部省略）
【符号の説明】
１Ａはスプロケット　　　　　　　　　　４Ｂはペダル軸兼ブシュ
１Ｂはスブロケット　　　　　　　　　　５Ａはペダル
１Ｃは連結軸　　　　　　　　　　　　　５Ｂはペダタル
２Ａはスプロケット　　　　　　　　　　６Ａはペダルアーム
２Ｂはスプロケット　　　　　　　　　　６Ｂはペダルアーム
２Ｃは連結軸　　　　　　　　　　　　　６Ｃは中心軸
３Ａはチェーン　　　　　　　　　　　　７　は伝達スプロケット
３Ｂはチェーン　　　　　　　　　　　　８　は伝達チェーン
４Ａはペダル軸兼ブシュ　　　　　　　　９　はアイドルスプロケット
【図１】
0003097190.tif 000003
【図２】
0003097190.tif 000004
【図３】
0003097190.tif 000005
【図４】
0003097190.tif 000006
【手続補正書】
【提出日】平成15年5月6日(2003.5.6)
【手続補正１】
【補正対象書類名】明細書
【補正対象項目名】実用新案登録請求の範囲
【補正方法】変更
【補正の内容】
【実用新案登録請求の範囲】
【請求項１】
（１）上下にスプロケット（１Ａ）（２Ａ）を配置してチェーン（３Ａ）をかける、左右対になる様に同様のスプロケット（１Ｂ）（２Ｂ）を隣に平行に設けて、チェーン（３Ｂ）をかける。
（２）上のスプロケット（１Ａ）（１Ｂ）は連結軸（１Ｃ）で、下のスプロケット（２Ａ）（２Ｂ）は連結軸（２Ｃ）で連結するか、又は何れか（１Ｃ）か（２Ｃ）の片方を連結する。
（３）スプロケットか、連結軸に、伝達スプロケット（７）を固着する。
（４）チェーン（３Ａ）の１本のブシュ（４Ａ）、これと正反対の所にある他方のチェーン（３Ｂ）の１本のブシュ（４Ｂ）の双方を、各々のリンクプレートに回動自在にして、外側に伸ばしてペダル軸（４Ａ）（４Ｂ）とし、各々ペダル（５Ａ）（５Ｂ）を回動自在にはめる。
（５）上のスプロケット（１Ａ）（１Ｂ）と、下のスプロケット（２Ａ）（２Ｂ）の中心域に中心軸（６Ｃ）を設け、両端にそれぞれ互い違いにペダルアーム（６Ａ）（６Ｂ）の一端を固着し、中心軸（６Ｃ）は左右別々に設けることもある。
（６）ペダルアーム（６Ａ）（６Ｂ）は、その中程でチェーン（３Ａ）（３Ｂ）の側面と平行に屈折自在に施して、その先端でブシュ（４Ａ）（４Ｂ）と、ペダル軸（４Ａ）（４Ｂ）の中間を固着する。
以上の構成からなる楕円運動をする自転車のペダル装置。